(57)【要約】  本発明は、ドアを開放するための、ドアの下側の領域に配置されたフットアクチュエータエレメント（１）を備える、フットドアオープナであって、フットアクチュエータエレメント（１）は、上側及び下側のフット面エレメント（２，３）を備え、上側のフット面エレメント（２）と下側のフット面エレメント（３）とは、相互に枢着式に結合されていて、かつ足による操作時に、少なくともそれぞれ部分的にドアの内側に旋回し、少なくとも１つの前記フット面エレメント（２，３）は、スライドリンク（４，５）において案内されている。
2013536338.tif 000002
【特許請求の範囲】
【請求項１】
ドアを開放するための、ドアの下側の領域に配置されたフットアクチュエータエレメント（１）を備える、フットドアオープナであって、
前記フットアクチュエータエレメント（１）は、上側及び下側のフット面エレメント（２，３）を備え、前記上側のフット面エレメント（２）と前記下側のフット面エレメント（３）とは、相互に枢着式に結合されていて、かつ足による操作時に、少なくともそれぞれ部分的にドアの内側に旋回し、少なくとも１つの前記フット面エレメント（２，３）は、スライドリンク（４，５）において案内されていることを特徴とする、フットドアオープナ。
【請求項２】
ａ）上側の前記フット面エレメント（２）は、第１の前記スライドリンク（５）において案内されており、下側の前記フット面エレメント（３）は、第２の前記スライドリンク（４）において案内されており、又は、
ｂ）上側及び下側の前記フット面エレメント（２，３）は、単個の前記スライドリンク（４，５）において案内されており、又は、
ｃ）上側の前記フット面エレメント（２）は、前記第２のスライドリンク（４）において案内されており、下側の前記フット面エレメント（３）は、前記第１のスライドリンク（５）において案内されている、請求項１記載のフットドアオープナ。
【請求項３】
両方の前記スライドリンク（４，５）の延伸軌道は、それぞれ異なっている、請求項２記載のフットドアオープナ。
【請求項４】
前記第１のスライドリンク（５）及び／又は前記第２のスライドリンク（４）は、斜めの延伸軌道を有する、請求項２記載のフットドアオープナ。
【請求項５】
前記第２のスライドリンク（４）は、放物線状の延伸軌道を有する、請求項３記載のフットドアオープナ。
【請求項６】
前記第２のスライドリンク（４）の一部は、斜めの延伸軌道を有する、請求項５記載のフットドアオープナ。
【請求項７】
前記第２のスライドリンク（４）の一部は、垂直の延伸軌道を有する、請求項５記載のフットドアオープナ。
【請求項８】
前記第２のスライドリンク（４）の延伸軌道は、放物線状の延伸軌道を有し、前記放物線状の延伸軌道に垂直の延伸軌道が続き、前記垂直の延伸軌道に斜めの延伸軌道が続く、請求項２から７までのいずれか１項記載のフットドアオープナ。
【請求項９】
両方の前記フット面エレメント（２，３）の枢着式の結合が、少なくとも１つのスライドリンク走行エレメント（７）により実現されており、
ａ）前記スライドリンク走行エレメント（７）は、前記第１のスライドリンク（５）において案内されており、又は、
ｂ）前記スライドリンク走行エレメント（７）は、前記第２のスライドリンク（４）において案内されており、又は、
ｃ）前記スライドリンク走行エレメント（７）は、単個のスライドリンク（４，５）において案内されている、請求項１から８までのいずれか１項記載のフットドアオープナ。
【請求項１０】
少なくとも１つの第１のばねエレメント（８）は、間接的又は非間接的に少なくとも１つのフット面エレメント（２，３）に、前記フット面エレメント（２，３）が操作者の足の抵抗がない場合に静止位置に引っ張られるように、作用する、請求項１から９までのいずれか１項記載のフットドアオープナ。
【請求項１１】
前記両方のスライドリンク（４，５）の延伸軌道は、それぞれ異なっていて、前記フット面エレメント（２，３）の解放時に、静止位置への引き戻しが、少なくとも部分的に、前記第１のスライドリンク走行エレメント（７）又は別のスライドリンク走行エレメント（１０）の摩擦を伴う案内により行われるようになっている、請求項１０記載のフットドアオープナ。
【請求項１２】
前記第１のばねエレメント（８）は、前記第１のスライドリンク走行エレメント（７）又は別のスライドリンク走行エレメント（１０）に作用する、請求項１０又は１１記載のフットドアオープナ。
【請求項１３】
前記第１のばねエレメント（８）又は追加的に別の第２のばねエレメント（１１）は、直接的又は間接的に、ドアの開放機構に作用する、請求項１０から１２までのいずれか１項記載のフットドアオープナ。
【請求項１４】
両方の前記ばねエレメント（８，１１）のばね定数は、それぞれ異なる大きさである、請求項１３記載のフットドアオープナ。
【請求項１５】
両方の前記ばねエレメント（８，１１）のばね定数は、互いに異なっていて、前記フットアクチュエータエレメントの操作時に、開放したいドアが調整可能に開放されるようになっている、請求項１４記載のフットドアオープナ。
【請求項１６】
前記フットドアオープナは、非作動時に、ほとんどドア輪郭から突出しない、請求項１から１５までのいずれか１項記載のドアオープナ。
【請求項１７】
請求項１から１６までのいずれか１項記載のドアオープナを備えるドア。
【請求項１８】
ドアに組み付けるための、請求項１から１６までのいずれか１項記載のドアオープナの使用。
【発明の詳細な説明】
【技術分野】
【０００１】
本発明は、ドアの下側の領域に配置されたフットアクチュエータエレメントを備える、ドアを開放するためのフットドアオープナ（足操作式ドアオープナ）に関する。
【０００２】
ドイツ連邦共和国特許出願公開第１０１１３８６５号明細書は、特にバスルーム（水廻り空間）の領域に設けられる、ドアを開放する装置を開示している。この装置では、ドアに、足で作動させるために働く作動機構が設けられており、この場合、作動機構は、ドアから突出するロッドとして形成されている。
【０００３】
欧州特許出願公開第１０４８８１１号明細書は、特に、ドアの横に配置されたフットスイッチが装着されたドア開放システムを開示している。このドア開放システムでは、アクチュエータロッドが、直接にドア開放機構に作用する。
【０００４】
国際公開第０２／３１２９７号パンフレットは、ドア開放機構を開示している。このドア開放機構は、足で踏むことにより、並進運動を、直接にドア開放機構に作用する機構の回動運動に変換する。
【０００５】
米国特許出願公開第５１９３８６３号明細書及び米国特許出願公開第４５６９５４６号明細書は、フットドアオープナを開示している。このフットドアオープナは、フラップ状にドアに配置されているので、プレート状の回動可能な足踏みエレメントを足で踏むことにより作動させることよりアクチュエータロッドが並進運動を行うので、ドアの開放機構にアクチュエータロッドが作用することにより、ドアを開放することができる。
【０００６】
米国特許出願公開第４６２１８４８号明細書は、フットドアオープナを開示している。このフットドアオープナでは、使用者は、ペダル状の、ドアから突出するフットエレメントを作動させることができるので、上側から下側への並進運動により、直接に、アクチュエータロッドを介してドアの開放機構に作用して、ドアを開放することができる。
【０００７】
欧州特許出願公開第１３７８６２２号明細書は、フットドアオープナを開示している。このフットドアオープナは、ドアの下側の領域に配置された、ドアを開放するためのフットアクチュエータエレメントを備える。
【０００８】
米国特許出願公開第１６１１３８６号明細書は、フットアクチュエータを開示している。このフットアクチュエータは、ドアの外側に配置されていて、ロッドを備え、このロッドは、枢着式にフットアクチュエータエレメントに結合されているので、フットアクチュエータの回動運動もしくは旋回運動が、ロッドを介して、追加的にドアに組み込まれた開閉機構に伝達される。
【０００９】
これら全ての背景技術において公知のフットドア開放装置は、フットドア開放装置が一方では足による比較的大雑把で精密に調整されないドアの開放を可能にし、さらに他方では、一部で嵩張る幾何学形状に基づいて操作時に何らかの怪我の可能性を伴っている点で共通している。
【００１０】
したがって本発明の課題設定は、挙げられた欠点を少なくとも部分的に回避することである。本発明の根底を成すこの問題は、請求項１による本発明のフットドアオープナ並びに請求項１７によるドア及び請求項１８に記載されたドアオープナの使用により解決される。
【００１１】
本発明によるフットドアオープナは、ドアを開放するための、ドアの下側の領域に配置されたフットアクチュエータエレメントを備える。この場合、好適には、フットドアオープナは、非作動時に、実質的にドア輪郭から突出しない、つまり、フットドアオープナは、ドア輪郭を越えて突出しない。このような構成に基づいて、怪我の可能性は大幅に低減される。なぜならば嵩張る構成要素がドアから張り出していないからである。
【００１２】
ドア輪郭からの非突出性は、例えば及び特に以下の構成により実現される、つまり、フットアクチュエータエレメントが、少なくとも１つのフット面エレメントを備え、フット面エレメントは、使用時に、少なくとも部分的に内向きに旋回されるようになっており、その結果、使用者が通常プレート状に構成されたフット面エレメントに足を載せて、下向きに押圧することにより、内向きの旋回も行われる、という構成により実現される。内向きの旋回によって、比較的精密な運動の操作性が、相応のドアをゆっくりと開放するためにも可能になる。なぜならば、旋回運動は、通常、生理学的にみて、純然たる並進運動よりも精密に調整可能であるという理由による。
【００１３】
本発明によるフットドアオープナは、複数の構成要素から組み合わされていて、特にフットアクチュエータエレメント（フットアクチュエータエレメントは例えば及び特に通常はプレート状に構成されたフット面エレメントを備える）とアクチュエータエレメント（アクチュエータエレメントは通常旋回運動を変換して並進運動として伝達する）とから組み合わされている。アクチュエータエレメントは、多くの場合、ロッド状又はロープ状に構成されているので、一般的なドア開放機構にアクチュエータエレメントを取り付けて、フットアクチュエータエレメントを操作することにより、アクチュエータエレメントを介してドアの開放機構に作用させることにより、ドアを開放することができる。
【００１４】
本発明によるフットドアオープナの個々の要素は、特に金属質であってよく、例えば及び特に特殊鋼又はアルミニウム合金から成る。
【００１５】
フットアクチュエータエレメントは、上側及び下側のフット面エレメントを備え、両方のフット面エレメントは、通常、プレート状に構成され、上側のフット面エレメントと下側のフット面エレメントとは、相互に枢着式に結合されていて、かつ足による作動時に、少なくともそれぞれ部分的にドアの内側に旋回する、ということが本発明にとって重要である。
【００１６】
両方のフット面エレメントの旋回は、ドア内により大きな「空間」を生じさせるので、場合によって生じるドアの内側の縁における引っ掛かりが大幅に低減されている。このような特別な構成により、使用者にとって、相応のドアの開放はより簡単である。なぜならばドアを開放するために、単に１つのフット面エレメントを備える構成と比べて、より大きな「踏み面」、つまり足で踏まれる面が提供されるからである。さらに、足を引き戻す際に引っ掛かる危険性は、より大きな「空間」により、僅かになっている。
【００１７】
さらに本発明によれば、少なくとも１つのフット面エレメントがスライドリンクにおいて案内されている場合、ａ）上側のフット面エレメントは、第１のスライドリンクにおいて案内されており、下側のフット面エレメントは、第２のスライドリンクにおいて案内されており又はその逆であり、又は、ｂ）上側及び下側のフット面エレメントは、唯１つのスライドリンクにおいて案内されている。これにより再現可能で確実な機能性が得られる。なぜならば、これにより構成要素の相互的な変形（歪み）及び場合によっては生じるクランプ（締め付け）が最小に低減されるからである。
【００１８】
さらに、両方のスライドリンクの延伸軌道がそれぞれ異なっていると好適であり、この場合、第１及び／又は第２のスライドリンクが斜めの延伸軌道を有し、並びに、第２のスライドリンクが放物線状の延伸軌道を有し、第２のスライドリンクの一部が斜めの延伸軌道を有し、第２のスライドリンクの一部が鉛直の延伸軌道を有し、並びに、第２のスライドリンクの延伸軌道が放物線状の延伸軌道を有し、放物線状の延伸軌道に垂直の延伸軌道が続き、次いで斜めの延伸軌道が続く構成が、好ましいと実証されたものとして明らかとなった。なぜならばこのような構成により、精密運動の調整性に関してその都度の使用目的に対する正確な適合が得られるからである。
【００１９】
斜めの程度（つまりどの程度延伸軌道が真っ直ぐかつ斜めに延在しているか）だけでなく放物線の種類を介しても、旋回と並進運動の部分との間の大きさを調整することができる。なぜならば通常、並進部分を介して、旋回時に、並進部分がドアの開放機構の作動に関して前記大きさを決定するからである。というのも通常、直接的又は間接的にアクチュエータエレメント（アクチュエータエレメントは特にロッド又はロープとして構成されている）は、フット面エレメントもしくはフットアクチュエータエレメントと実際のドアの開放機構との間の伝達部材として機能し、またアクチュエータエレメントとして機能するからである。
【００２０】
もちろん、別のスライドリンク延伸軌道が実現されることも考えられ、例えば第１の斜めの延伸軌道に垂直の延伸軌道が続き、鉛直の延伸軌道に、引き続き放物線状の延伸軌道が続く。
【００２１】
さらに好適には、少なくとも１つのスライドリンク走行エレメントにより、両方のフット面エレメントの枢着式の結合が実現されており、このスライドリンク走行エレメントは、通常、ロッド状に構成されていて、ロッドとしてスライドリンク内で走行し、特にこの場合、少なくとも１つのスライドリンク走行エレメントが、第１又は第２のスライドリンクにおいて案内されているか、又は、唯１つのスライドリンクにおいて案内されている。特に、第１のスライドリンクは、上側のフット面エレメントのスライドリンクであり、この場合、第２のスライドリンクは、下側のフット面エレメントのスライドリンクである。このようにして下側のフット面エレメントの旋回時に、同時に、上側のフット面エレメントの、同期的でスライドリンク延伸軌道に適合された強制旋回が行われる。このことは、下側のフット面エレメントの絶対的な旋回に関連して、両方のフット面エレメントの相対的な旋回の適合性に関して簡単でしかも効果的な構成を成す。
【００２２】
同様に、本発明によれば、フットドアオープナは、単に、唯１つのスライドリンクを備える。
【００２３】
さらに好適には、少なくとも１つの第１のばねエレメントは、直接的又は間接的に少なくとも１つのフット面エレメントに作用して、フット面エレメントが、操作者の足による抵抗がない場合に静止位置に引かれ、それも好適には、両方のフット面エレメントが垂直の位置に留まり、ひいては理想的な場合ドア表面とほぼ同一平面を成して終わるように、引かれる。
【００２４】
上記関連において、両方のスライドリンクの延伸軌道がそれぞれ異なっていて、フット面エレメントの解放時に、静止位置への引き戻しが、少なくとも部分的に、第１又は別のスライドリンク走行エレメントの摩擦を伴う案内と共に実行されると好適である。なぜならば、このようにして、スライドリンクにおけるスライドリンク走行エレメントの摩擦の形成及び幾何学的な配置に応じて、静止位置へのほとんど振動減衰された引き戻しが可能になり、通常、少なくとも１つのばねエレメントがフット面エレメントを制動せずにその静止位置に、相応のストッパに引っ張ることが回避されるからである。このような引張りは、少なくとも高い騒音水準に結びついている。
【００２５】
上記関連において、好適には、第１のばねエレメントが第１又は別のスライドリンク走行エレメントに作用する。
【００２６】
さらに上記関連において、第１のばねエレメント又は追加的に別の第２のばねエレメントが直接的又は間接的にドアの開放機構に作用することが、好ましいと実証されたので、好適である。
【００２７】
さらに、両方のばねエレメントのばね定数はそれぞれ異なる高さにあり、特に、両方のばねエレメントのばね定数が、フットアクチュエータエレメントの操作時に開放したいドアが調整可能に開放されるように、相互にそれぞれ異なっていると好適である。なぜならば、これによりドアの開放機構の開放と１つのフット面エレメントもしくは両方のフット面エレメントの旋回の程度との間の精確な調整が可能であるという理由による。例えば、２つのばねエレメントが直列で相互に作用し合うように結合されていることも考えられ、その結果、第１のばねエレメントの比較的低いばね定数ひいては比較的高い可撓性に基づいて、この場合、比較的高いばね定数を介して、第２のばねエレメントは、同じ力の適用において比較的僅かに伸長され、この場合、結果として生じる並進的な軌道又は回動運動における相応の回転軌道が、旋回の特定の位置からドアを開放することができるようにドアのドア機構を作動させるために十分である。
【００２８】
さらに、ばねエレメントの代わりにショックアブソーバ、例えばガス圧ダンパ又は油圧ダンパを用いることも考えられる。
【００２９】
以下に、実施の形態、及び実施の形態に関係する４つの図面につき、本発明を詳しく説明する。
【図面の簡単な説明】
【００３０】
【図１】本発明によるフットドアオープナの１つの態様を正面からみた立体図である。
【図２】図１に示す態様の運転時の図である。
【図３】図１及び図２に示す態様の別の正面斜視図である。
【図４】図１〜図３に示す態様を組み付けた状態で示す図である。
【００３１】
図１において、斜め前側からみた、本発明によるフットドアオープナの１つの態様が看取され、つまり、フットアクチュエータエレメント１が看取される。フットアクチュエータエレメント１は、足操作スライドリンクＡ，Ｂを備えるので、組み付けた状態で、つまり特にドアに組み付けた状態で、ドアは、両側から操作することができる（ドアの正面及び背面）。両方の足踏みスライドリンクＡ，Ｂは、それぞれ上側及び下側のフット面エレメント２，３を備え、この場合、これらのフット面エレメント２，３は、それぞれ枢着結合部６を介して、相互に枢着式に結合されており、この場合、枢着結合部６は、主構成要素として、ロッド状のスライドリンク走行エレメント７を含む。上側のフット面エレメント２は、第１のスライドリンク（ガイドスロット）５内でロッド状のスライドリンク走行エレメント７により案内され、別のロッド状のスライドリンク走行エレメント１０により、第２のスライドリンク４内で案内される。下側のフット面エレメント３は、ロッド状のスライドリンク走行エレメント７によりスライドリンク４内で案内され、かつ別のロッド状のスライドリンク走行エレメント１０によりスライドリンク４内で案内される。
【００３２】
スライドリンク走行エレメント１０に、直接にロープエレメント１２が作用し、この場合、ロープエレメント１２は、第１及び第２の変向ローラ１３，１４を介して、別の変向ローラ１５に向かって変向され、最終的に変向ローラ１６に向かって変向される。この変向ローラ１６には、第１のばねエレメント８が直接に作用する。両方のばねエレメント８，１１は、相互に掛合式に結合されており（点１８）、この場合、第２のばねエレメント１１は、直接に、フットアクチュエータエレメント１の上側のフレーム部分に結合されている。フットアクチュエータエレメント１が同一の構成を有するがそれぞれ異なる方向性を有する２つの足踏みスライドリンクＡ，Ｂを備えるという事実に基づいて、ロープエレメント１２は、それぞれ１つの足踏みスライドリンクからみて変向ローラ１６を越えてさらに延在しているので、ロープエレメント１２は、最終的に両方のスライドリンク走行エレメント１０に結合されている。
【００３３】
ロープ状のアクチュエータエレメント１７が、第２のばねエレメント１１の下側の端部（つまり点１８に）及びドア開放機構Ｍに作用し、この場合、ロープ状のアクチュエータエレメント１７は、変向ローラ１８を介して、現場の幾何学的な条件に適合されている（これに関して図４参照）。
【００３４】
特にそのような第１のフット面エレメント３に足を載せることによる作動により、相応に力が及ぼされるとき、第１及び第２のフット面エレメント２，３は、両方のスライドリンク４，５の延伸軌道に応じて固有の形態で旋回させられるので、下側のフット面エレメント３の一部しか、完全な作動時に、ドア輪郭を越えて突出しない。
【００３５】
この場合、スライドリンク走行エレメント７，１０は、スライドリンク５，４の延伸軌道に応じて、斜めに、もしくは放物線状に、垂直に下側へ、また再び斜めに案内される（図１及び特に図３参照）。
【００３６】
この場合、両方のばねエレメント８，１１の相互のばね定数の調節だけでなくばねエレメント長さの比によっても、スライドリンク４の垂直の延伸区分に沿って、操作者は、精密に調整して、必要な場合、ゆっくりと慎重に、開放したいドアＴの被作用のドア開放機構Ｍを作動させることができ、この場合、ドアを相応に精密運動で開放することができる。もちろんこれらのばねのばね定数及び寸法設定の比を相互に、例えば安全性に関係する領域ではスライドリンク４の斜めの延伸軌道の下側１／３で初めてドアの開放が可能である（例えば火災に関係する領域における悪用をできるだけ制限するために）ように設定することができる。
【００３７】
フット面エレメント２，３の戻し移動時もしくは下側のフット面エレメント３の解放後に、両方のフット面エレメント２，３は、その静止位置に引き戻されるので、スライドリンク走行エレメント７，１０は、そのスライドリンク内で、下側から上側へ走行し、この場合、両方のスライドリンク４，５の延伸軌道のそれぞれ異なる構成により、そしてスライドリンク４の上側の延伸軌道が放物線状に構成されているという事実により、戻し移動が、ある程度の摩擦力、ひいてはある程度の制動作用を受けることになり、これによりコントロールされない音を発生させる大きな跳ね返りが回避される。したがって、スライドリンクの延伸軌道（絶対的にみても相互的にみても）のみならず、スライドリンク自体におけるスライドリンク走行エレメント自体の寸法設定も、比較的ゆっくりでスムーズな静止位置への戻し移動が可能であるように、構成することもできる。なぜならば両方のばねエレメント８，１１がロープ状のエレメント１２を介してスライドリンク走行エレメント１０に作用し、ひいては相応の力を両方のフット面エレメント２，３に及ぼすからである。
【００３８】
好適には、第２のばねエレメント１１は、ロープ状のアクチュエータエレメント１７に関して、そのばね定数及び特に長さ寸法設定において以下のように構成されている。つまり、非作動時に、したがって両方のフット面エレメント２，３の静止状態及び戻し旋回状態で、力がドア開放機構Ｍに作用せず、ロープ状のアクチュエータエレメント１７の相応の長さ寸法設定において、ある程度の遊び（つまりある程度の余剰長さ）を実現することができ、その結果、フット面エレメント２，３の作動の場合、ある程度の旋回角度から初めて力がドア開放機構Ｍに作用し、これにより特別な場合に、ある程度の旋回角度で初めて実際に相応のドアＴを開放すること、及びそのようなドアＴの不意の開放を阻止する（安全性に関係する領域にとって重要）ことができることを保証するように、第２のばねエレメント１１は構成されている。
【図１】
2013536338.tif 000003
【図２】
2013536338.tif 000004
【図３】
2013536338.tif 000005
【図４】
2013536338.tif 000006
【国際調査報告】
2013536338.tif 000007
2013536338.tif 000008
2013536338.tif 000009
2013536338.tif 000010